(57)【要約】【課題】立てた状態で収納した収納物に反りが発生することがなく胴膨れしない包装箱を提供する。【解決手段】２対の対向する側壁板１、２、３、４からなる角筒状の胴部の一方の開口端に、1対の対向する内フラップ５、６と、1対の対向する外フラップ７、８とが設けられ、対向するそれぞれのフラップが、一方の開口端を塞ぐように折られ、対向するフラップどうしの先端部が突合せになるように設けられていて、且つ、内フラップ５、６の先端部に連設された差し込み片９、９が、胴部内に差し込まれ、他方の開口端の閉鎖部に突き当たるように設けられている。【選択図】図１
2015129006.tif 000002
【特許請求の範囲】
【請求項１】
２対の対向する側壁板からなる角筒状の胴部の一方の開口端に、1対の対向する内フラップと、1対の対向する外フラップとが設けられ、前記対向するそれぞれのフラップが、前記一方の開口端を塞ぐように折られ、前記対向するフラップどうしの先端部が突合せになるように設けられていて、且つ、前記内フラップの先端部に連設された差し込み片が、前記胴部内に差し込まれ、他方の開口端の閉鎖部に突き当たるように設けられていることを特徴とする包装箱。
【発明の詳細な説明】
【技術分野】
【０００１】
本発明は、包装箱に関するものである。特に、扁平な複数の収納物を立てた状態で収納する包装箱に関するものである。
【背景技術】
【０００２】
一般的なダンボールシートなどでできた包装箱に、平坦に折り畳まれたカートンなどの扁平な複数の収納物を立てた状態で収納し梱包した場合、図５のように、包装箱２００の胴部２１が外側に膨れる胴膨れが起こり、収納されたカートンなどの扁平な収納物２０に反りが発生してしまうことが有った。
【０００３】
これを解決する方法としては、包装箱に用いるダンボールシートを、フルートが２層設けられたＷフルートにして、強度を上げる方法があるが、コストがあがってしまい、経済的でない。また、仕切りを入れる方法もあるが、収納物と一緒に傾斜してしまうために、反りの防止には効果が低い。
【０００４】
一方、図６のような、タイルなどの重量物を収納するカートン３００がある。このカートン３００は、外フラップ３１が、両側面に連設されていて、折畳んだとき上面の中央ラインで突き合うようになっている。
【０００５】
また、外フラップ３１の先端には、差込み突片３２が備わっていて、内フラップ３３には、切欠部３４が設けられている。そして箱詰封緘するときに、差込み突片３２をカートンの中側に向かって差込み、差込み突片３２の端部を内フラップ３３の切欠部３４に挿入されるようにしたカートンがある（特許文献１）。
【０００６】
また、外箱４０１と内箱４０２とからなる紙函４００がある。外箱４０１は、図７（ａ）のように、底板４１の左右端に側板４２、４２、蓋板４３、４３、さらに差込仕切片４４、４４を、各々折目を介し連設し、底板４１の前後端に側板４５、４５、支持片４６、４６を、各々折目を介し連設した構造を有する箱体になっている。
【０００７】
そして、支持片４６、４６のほぼ中央にそれぞれ分割溝４７、４７を設け、差込仕切片４４、４４を挿入するようにしている。また、一方の差込仕切片４４と蓋板４３の間の折目上の二点より、一方の差込仕切片４４上に連続した切れ目４８を設け、把手４９を形成している。
【０００８】
また、内箱４０２は、図７（ｂ）のように、底板５１の左右側に側板５２、５２、中蓋５３、５３を、各々折目を介し設け、更に中蓋５３、５３の前後端に前後側板５４、５４、５４、５４を、折目を介し連接した構造となっている。そして、内箱４０２が外箱４０１に挿入され、図８のような、強力組立式紙函４００となっている（特許文献２）。
【０００９】
しかし、これら重量物を収納するカートンや、強力組立式紙函では、胴膨れを防いで、収納されたカートンなどの収納物に反りが発生しないようにすることは難しい。
【００１０】
公知文献を以下に示す。
【先行技術文献】
【特許文献】
【００１１】
【特許文献１】実開昭５３−７７７１４号公報
【特許文献２】実公昭４４−２１６７１号公報
【発明の概要】
【発明が解決しようとする課題】
【００１２】
本発明は上記のような事情に鑑みてなされたもので、立てた状態で収納した収納物に反りが発生することがなく胴膨れしない包装箱を提供することを課題としている。
【課題を解決するための手段】
【００１３】
本発明は係る課題に鑑みなされたものであり、請求項１の発明は、２対の対向する側壁板からなる角筒状の胴部の一方の開口端に、1対の対向する内フラップと、1対の対向する外フラップとが設けられ、前記対向するそれぞれのフラップが、前記一方の開口端を塞ぐように折られ、前記対向するフラップどうしの先端部が突合せになるように設けられていて、且つ、前記内フラップの先端部に連設された差し込み片が、前記胴部内に差し込まれ、他方の開口端の閉鎖部に突き当たるように設けられていることを特徴とする包装箱である。
【発明の効果】
【００１４】
本発明の包装箱は、胴部が外側に膨れる胴膨れすることがなく、立てた状態で収納した収納物に反りが発生することがない。
【図面の簡単な説明】
【００１５】
【図１】本発明の包装箱の一例を模式的に斜視で示した説明図である。
【図２】本発明の包装箱の一例のブランクを模式的に平面図で示した説明図である。
【図３】本発明の包装箱の一例に収納物を収納させた包装体を模式的に斜視で示した説明図である。
【図４】本発明の包装箱の一例に収納物を収納させた包装体を模式的に断面で示した説明図である。
【図５】従来の包装箱の一例に収納物を収納させた包装体を模式的に断面で示した説明図である。
【図６】従来の包装箱の他の例を模式的に斜視で示した説明図である。
【図７】（ａ）従来の包装箱の更に他の例の外箱を模式的に斜視示した説明図である。（ｂ）従来の包装箱の更に他の例の内箱を模式的に斜視示した説明図である。
【図８】従来の包装箱の更に他の例を模式的に断面で示した説明図である。
【発明を実施するための形態】
【００１６】
以下、本発明を実施するための形態につき説明する。
図１は、本発明の包装箱の一例を模式的に斜視で示した説明図である。図２は、本発明の包装箱の一例のブランクを模式的に平面図で示した説明図である。
【００１７】
本例の包装箱１００の構造材は、板紙やダンボールシート、あるいは、プラスチックシートなどからなっている。図１の斜視図に示すように、包装箱１００は、左右に対向する左側壁板１と右側壁板２、及び、前後に対向する前側壁板３と後側壁板４とからなる角筒状の胴部を有している。
【００１８】
前記胴部の上端にある一方の開口端に、左右に対向する左内フラップ５と右内フラップ６、及び、前後に対向する前外フラップ７と後外フラップ８が設けられている。そして、前記一方の開口端を塞ぐように折られ時に、左内フラップ５と右内フラップ６は、先端部が突合せになるように設けられ、また、前外フラップ７と後外フラップ８も、先端部が突合せになるように設けられている。
【００１９】
そして、左内フラップ５と右内フラップ６には、先端部に差し込み片９、９がそれぞれ連設されている。そして、差し込み片９、９は、前記胴部内に差し込まれたとき、底になる他方の開口端の閉鎖部に突き当たるように設けられている。
【００２０】
本例の包装箱では、他方の開口端の閉鎖部も、上端にある一方の開口端と同様に、内フラップと外フラップからなっている。
【００２１】
本例の包装箱１００は、構造材から打ち抜くと同時に折罫を設け、ブランク１０１を作成し、このブランク１０１から製函して形成されている。
【００２２】
ブランク１０１は、図２に示されるように、後側壁板４、左側壁板１、前側壁板３、右側壁板２が左からこの順に連設されている。また、後側壁板４の左側には、貼着板１０が連設されている。
【００２３】
後側壁板４の上端には後外フラップ８が設けられている。また、下端には、底後外フラップ１１が設けられている。左側壁板１の上端には、左内フラップ５が設けられ、更に左内フラップ５の上端に差し込み片９が設けられている。左側壁板１の下端には、底左内フラップ１２が設けられている。
【００２４】
同様に、前側壁板３の上端には前外フラップ７が設けられている。また、下端には、底前外フラップ１３が設けられている。右側壁板２の上端には、右内フラップ６が設けられ、更に、右内フラップ６の上端に差し込み片９が設けられている。右側壁板２の下端には、底右内フラップ１４が設けられている。
【００２５】
このブランク１０１から、包装箱１００を製函するには、後側壁板４と左側壁板１の間を折り、次に、前側壁板３と右側壁板２の間を折り、貼着板１０の外面と貼着板１０に重なった右側壁板２を貼着する。しっかり貼着したら、後側壁板４、左側壁板１、前側壁板３、右側壁板２を角筒状にして、胴部を形成させる。
【００２６】
次に、底左内フラップ１２と底右内フラップ１４を内側に倒し、更に、底後外フラップ１１と底前外フラップ１３を内側に倒す。
【００２７】
そして、底後外フラップ１１と底前外フラップ１３をテープで止めるか、あるいは、あらかじめ、底左内フラップ１２と底右内フラップ１４の外面にホットメルトなどの接着剤を塗布しておき、底後外フラップ１１と底前外フラップ１３を接着して、前述の底になる他方の開口端の閉鎖部を形成する。これにより、図１のような、包装箱１００が組み立てられる。
【００２８】
図３は、本発明の包装箱の一例に収納物を収納させた包装体を模式的に斜視で示した説明図である。図４は、本発明の包装箱の一例に収納物を収納させた包装体を模式的に断面で示した説明図である。
【００２９】
図1のように組み立てられた包装箱１００に、図３のように、扁平な複数の収納物２０を立てた状態で収納させる。そして、収納物２０の中間に、差し込み片９、９を差し込みながら、左内フラップ５と右内フラップ６を内側に倒す。
【００３０】
そして、前外フラップ７と後外フラップ８を左内フラップ５と右内フラップ６の上に重なるように内側に倒す。そして、必要に応じて、テープで止めるか、接着剤で接着して、図４の断面図のように、包装箱１００を用いて収納物２０を梱包する。
【００３１】
このようにすると、差し込み片９、９の先端が、他方の開口端の閉鎖部の底左内フラップ１２と底右内フラップ１４に突き当たる。これにより、差し込み片９、９が仕切りの役割を果たし、また、立てた状態で収納した扁平な複数の収納物２０が左側壁板１と差し込み片９、９と右側壁板２で支持されて、反ることがなく、包装箱１００も胴膨れすることがない。
【００３２】
尚、本例においては、包装箱１００の上端に設けられた左内フラップ５と右内フラップ６に差し込み片９、９を設けたが、包装箱の底の部分に設けられた底左内フラップと底右内フラップに差し込み片を設けても良い。
【符号の説明】
【００３３】
１００・・・包装箱
１０１・・・ブランク
１・・・左側壁板
２・・・右側壁板
３・・・前側壁板
４・・・後側壁板
５・・・左内フラップ
６・・・右内フラップ
７・・・前外フラップ
８・・・後外フラップ
９、９・・・差し込み片
１０・・・貼着板
１１・・・底後外フラップ
１２・・・底左内フラップ
１３・・・底前外フラップ
１４・・・底右内フラップ
２０・・・扁平な複数の収納物
２００・・・包装箱
３００・・・カートン
４００・・・紙函
４０１・・・外箱
４０２・・・内箱
【図１】
2015129006.tif 000003
【図２】
2015129006.tif 000004
【図３】
2015129006.tif 000005
【図４】
2015129006.tif 000006
【図５】
2015129006.tif 000007
【図６】
2015129006.tif 000008
【図７】
2015129006.tif 000009
【図８】
2015129006.tif 000010